(57)【要約】      （修正有）【課題】酸素そのものに対する対価以外のコストを削減できる、携帯可能な酸素吸入器を提供する。【解決手段】ゴム風船(２)に酸素を充填して使用する携帯用充填式酸素吸入器(１)であって、パイプ(３)にその上方から高圧で酸素を送り込むと、当該酸素圧により逆止弁(５)が自動的に開いて、ゴム風船(２)内に酸素が充填され、酸素圧を外すと逆止弁(５)が自動的に閉じ、ゴム風船(２)内に充填された酸素による背圧により逆止弁(５)がパイプ(３)を緊密に封じ、次いで、フランジ(１０)を押し下げると逆止弁(５)が開いて、前記パイプ(３)を通じて前記ゴム風船(２)内の酸素が吹き出されるようになっている携帯用充填式酸素吸入器(１)。【選択図】図１
0003113376.tif 000002
【実用新案登録請求の範囲】
【請求項１】
ゴム風船(２)に酸素を充填して使用する携帯用充填式酸素吸入器(１)であって、
酸素導入用のパイプ(３)の下方に、前記ゴム風船(２)を取り付け、
前記パイプ(３)の下部を、通気孔(１９)を有する筒状容器(４)の上面中央部に固定して、前記ゴム風船(２)を前記容器内(４)に収納するものであって、
前記パイプ(３)の下方には逆止弁(５)が取り付けられており、前記パイプ(３)には、弾性反発力を持って押し下げ可能な状態でフランジ(１０)が設けられていて、
前記パイプ(３)にその上方から高圧で酸素を送り込むと、当該酸素圧により前記逆止弁(５)が自動的に開いて、前記パイプ(３)を通じて前記ゴム風船(２)内に酸素が充填され、
前記酸素圧を外すと前記逆止弁(５)が自動的に閉じ、前記ゴム風船(２)内に充填された酸素による背圧により前記逆止弁(５)が前記パイプ(３)を緊密に封じ、
次いで前記フランジ(１０)を押し下げると前記逆止弁(５)が開いて、前記パイプ(３)を通じて前記ゴム風船(２)内の酸素が吹き出されるようになっていることを特徴とする、携帯用充填式酸素吸入器(１)。
【請求項２】
管(１１)の下方周囲に前記フランジ(１０)を備え、前記フランジ(１０)の下方に前記逆止弁(５)の開閉が可能な突起(１３)を設けて成る管体(１２)が、前記パイプ(３)の上端に、前記突起(１３)を前記パイプ(３)に挿入した状態で取り付けられており、かつ、前記フランジ(１０)の上下動が、前記筒状容器(４−１)と前記フランジ(１０)の間に設けられたバネ体(９)により制御されている、請求項１記載の携帯用充填式酸素吸入器(１)。
【請求項３】
前記筒状容器(４)の上部が、当該容器の下部から切り離し自在な構成になっていて、前記容器の上部を切り離して、前記容器(４)内に収納されたゴム風船(２)を交換できるようになっていることを特徴とする、前記請求項いずれかに記載の携帯用充填式酸素吸入器(１)。
【請求項４】
ヒトの口を覆う湾曲形状のマスク(１６)の中央部に小孔が設けられて成る吸入マスク(１６)の当該小孔に、前記パイプ(３)の上端部を貫通および着脱自在に結合させて、前記吸入マスク(１６)を前記パイプ(３)の上端部に着脱自在に装着して使用することをさらに特徴とする、前記請求項いずれかに記載の携帯用充填式酸素吸入器(１)。
【請求項５】
前記逆止弁(５)が、シート式逆止弁、ダックビル型逆止弁、ボール型逆止弁から選択されるものである、前期請求項いずれかに記載の携帯用充填式酸素吸入器(１)。
【考案の詳細な説明】
【技術分野】
【０００１】
本考案は、酸素供給源から酸素を充填して、携帯および利用するための、繰り返し酸素を充填して利用することができる携帯用充填式酸素吸入器であって、低コストおよび低資源で、各利用者が酸素を携帯・利用可能としたものに関する。
【背景技術】
【０００２】
アロマ、お香等の種々の健康・美容商品同様、酸素も、その美肌形成、疲労回復、記憶力向上といった、発見されつつある種々の有益な効果のために、現在非常に注目されている商品の一つである。
ここで、スポーツ等において、手軽に酸素(特に高濃度酸素)を吸入・利用することを目的として、携帯用の缶や容器に封入された酸素が多くのメーカーから販売されている。
しかし、従来のかかる携帯用に販売される酸素は、酸素を製造する工場において大量に製造され、そこで缶や容器に充填封入された後、当該工場から販売店へと運搬されるものであり、酸素そのものに加えて、当該缶や容器のランニングコストがかかるものである。加えて、かかる缶や容器は、中の酸素を使い切った後、酸素を再度封入できる構造にはなっておらず、当該缶や容器は、１回限りの使用となり、利用ごとに、酸素そのものの代金に加えて、上記ランニングコストと当該缶・容器分のコストがかかることになる。また、かかる缶や容器の使い捨ては、明らかに資源の無駄であり、環境汚染の問題も伴う。
【考案の開示】
【考案が解決しようとする課題】
【０００３】
本考案は、一般需要者が酸素を携帯して利用するに関し、酸素そのものに対する対価以外のコストを削減でき、資源の無駄をなくすことができる、携帯可能な酸素吸入器を提供することを課題とするものである。
【課題を解決するための手段】
【０００４】
考案者等は、ゴム風船に酸素を充填して使用する携帯用充填式酸素吸入器であって、
酸素導入用のパイプの下方に、前記ゴム風船を取り付け、
前記パイプの下部を、通気孔を有する筒状容器の上面中央部に固定して、前記ゴム風船を前記容器内に収納するものであって、
前記パイプの下方には逆止弁が取り付けられており、前記パイプにその上方から高圧で酸素を送り込むと、当該酸素圧により前記逆止弁が自動的に開いて、前記パイプを通じて前記ゴム風船内に酸素が充填され、前記酸素圧を外すと前記逆止弁が自動的に閉じ、前記ゴム風船内に充填された酸素による背圧により前記逆止弁が前記パイプを緊密に封じ、次いで前記フランジを押し下げると前記逆止弁が開いて、前記パイプを通じて前記ゴム風船内の酸素が吹き出されるようになっていることを特徴とする酸素吸入器により、前記課題を解決した。
【０００５】
考案者は、また特に、管の下方周囲に前記フランジを備え、前記フランジの下方に前記逆止弁の開閉が可能な突起を設けて成る管体が、前記パイプの上端に、前記突起を前記パイプに挿入した状態で取り付けられており、かつ、前記フランジの上下動が、前記筒状容器と前記フランジの間に設けられたバネ体により制御されている、前記携帯用充填式酸素吸入器により、前記課題を解決した。
【０００６】
本考案の携帯用充填式酸素吸入器は、酸素供給源から高圧で、逆止弁を開放せしめてパイプを通じてゴム風船に酸素を導入すると、導入された酸素の体積に応じてゴム風船が膨張し、当該酸素圧を外すと前記逆止弁が自動的に閉じて、ゴム風船内からの酸素の逆流を妨げてゴム風船の入口を封じ、さらに逆止弁がゴム風船内の酸素による背圧により緊密に閉じるために、当該ゴム風船内に導入された酸素が密封状態で収容されるようになっている。導入された酸素が一定の量になると、膨張した当該ゴム風船の側部ないし底部が、当該ゴム風船を包囲・収容する前記筒状容器の内壁面(ないし底面)に突き当たって、当該内壁面(ないし底面)により、膨張したゴム風船が支持されるようになっている。筒状容器に硬質素材を用いた場合には、膨張したゴム風船の側部ないし底部が筒状容器内壁面(ないし底面)に圧迫されて、それ以上当該ゴム風船が膨張できなくなる。つまり、筒状容器の形態により、酸素充填量を規定することも、可能である。
【０００７】
本考案の携帯用充填式酸素吸入器を構成するゴム風船は、伸縮性と密封性を備え、内部に気体を収容して膨張後、当該気体を除くと元の形状に戻る形状記憶性を備えるものであればいかなるもの−一般市場で流通しているもの−であってよい。酸素を収容して膨張後、ゴム風船の入口を開放すると、ゴム風船が膨張前の形状へ戻ろうとする力に推進されて、ゴム風船内の気体が勢いを伴って吹き出される。本考案の携帯用充填式酸素吸入器において、ゴム風船は、酸素導入用パイプの下方から取り外し自在であり、ゴム風船が消耗して酸素収容能が低下した場合には、新品のゴム風船と交換することができる。好ましくは、本考案における前記ゴム風船は、吹後直径38〜40 cmのゴム風船である。
【０００８】
本考案の携帯用充填式酸素吸入器を構成する逆止弁は、パイプ下方において、通常はパイプを封じているが、上方から下方への力が加わると、下方へと変形ないし変位して(即ち、逆止弁が開いて)隙間を生じてパイプを開通し、力が除去されると、定位置に戻って(即ち、逆止弁が閉じて)再度パイプを封じて、酸素の流通を防止するように作動するものであり、例えば、シート式逆止弁、ダックビル型逆止弁や、ボール型逆止弁等が適している。
本考案の携帯用充填式酸素吸入器のゴム風船からパイプを通じて吹き出される酸素の量および風速は、逆止弁に加える力加減およびその時間を調節することにより調節できる。
【０００９】
本考案の携帯用充填式酸素吸入器を構成する筒状容器は、本考案の携帯用充填式酸素吸入器を構成するゴム風船を包囲して、膨張した当該ゴム風船をその側面から支えて安定に保持できるものであればいかなるものであってもよいが、内部に収容されるゴム風船の劣化を防ぐ観点から、ポリプロピレン、ポリエチレン製等の、気密性のある筒状容器であることが好ましい。しかし、気密性のある筒状容器を使用する場合は、完全に内部を密封すると、収納されるゴム風船の膨張が妨げられるため、通気孔を設ける等して、通気が確保されることが必要である。本考案の筒状容器の形態およびサイズは、ゴム風船の所望される膨張後の体積に応じて、適宜規定される。また、当該筒状容器は、内部に収容するゴム風船を交換できるように、当該筒状態容器の少なくとも上部が当該筒状容器の底部から、切り離し自在な構成になっている必要がある。
【００１０】
本考案の携帯用充填式酸素吸入器は、酸素導入用パイプの上端部、即ち当該パイプの先端に取り付けられた管体の先等に、利用者の口を覆って密着するよう、当該上端部から外方へ拡がる湾曲面から成る吸入マスク等の吸入補助具を取り付ける等して、利用者が酸素の無駄なく、簡便に酸素を吸入できるようにすることが可能である。
【００１１】
本考案の携帯用充填式酸素吸入器は、例えば学校、職場、運動施設等において、所望の場所に酸素供給源を設置して、そこから利用者が当該携帯用充填式酸素吸入器に、所望に応じて酸素を充填して、個人的に当該携帯用充填式酸素吸入器を携帯して、適宜酸素を吸入および利用できるものである。
【考案の効果】
【００１２】
利用者は、本考案の携帯用充填式酸素吸入器のゴム風船に酸素を充填して携帯・吸入し、ゴム風船内の酸素がなくなれば再びゴム風船に酸素を充填することにより、本考案の酸素吸入器を反復して利用して、簡便かつ低コストで、酸素を携帯・利用することができる。また、ゴム風船を取り替えることで、本考案の酸素吸入器はさらに反復利用性が増し、酸素利用上のコストがいっそう下がることになる。本考案の携帯用充填式酸素吸入器を用いれば、資源の無駄および環境汚染を回避することができる。
【考案を実施するための最良の形態】
【００１３】
[実施例]
以下の実施例に、本考案の好ましい具体例を示して、本考案を説明するが、実施例はあくまで例示であり、本考案を限定するものではない。
図１は、本考案の携帯用充填式酸素吸入器(一例)を示す図であり、Aは酸素充填前の状態を、Bは酸素充填後の状態を示す。図２は、図１に示す本考案の携帯用充填式酸素吸入器を構成するパイプ、逆止弁、および管体の位置関係およびその作動状態を説明する断面図であり、Aは高圧酸素導入時の状態を、Bは酸素圧を外した酸素保管状態を、Cは酸素吸入時の状態を示す。図３は、本考案の携帯用充填式酸素吸入器の利用態様の一例を示す図である。
【００１４】
[実施例１]
図１AおよびBに示す本考案の携帯用充填式酸素吸入器(１)は、直径1.5cmの入口を有する吹後直径38cmないし40cmのゴム風船(２)と、下方に逆止弁(５)を備えたポリプロピレン製の略円筒形のパイプ(高さ2.5cm)(３)と、ポリプロピレン製の上蓋(４−１)付略円筒形容器(底面の直径9cm、高さ20cm)であって、当該上蓋中央部に小孔が設けられており、かつ、側面および底面に通気孔(１９)を有するもの(４)と、から成る。図２に示すように、パイプ(３)は、外径2cm、高さ1cmの上面付き円筒基台部(６)の上面中央部に外径1cm、高さ1.5cmの円筒部(７)が設けられて成り、円筒基台部(６)の上面中央部から当該円筒部(７)の先端までは、酸素の移動を可能ならしめるべく、開通していて、円筒基台部(６)の当該上面中央部と当該円筒部(７)とが連結および開通している部分に、逆止弁(５)が取り付けられている。当該逆止弁(５)は、通常は当該開通を密封する定位置にある。
【００１５】
上蓋付き略円筒形容器(４)の上蓋(４−１)中央部の小孔は、円筒基台部(６)の外径(2cm)よりも小さく、かつ円筒部(７)の外径(1cm)よりも大きく開けてある。上蓋(４−１)中央部の小孔の下方から円筒部(７)を貫通し、貫通させた当該円筒部(７)の上から外径2cm、内径1.1cmのポリプロピレン製の下フランジ(８)を被せて、下フランジ(８)とパイプの円筒基台部(６)上面とが上蓋(４−１)を間に挟む状態で、当該上蓋中央部にパイプ(３)を固定する。固定された当該パイプ円筒基台部(６)下端にゴム風船(２)の入口を被せて、その上からテープを巻いて密着結合させて、パイプ(３)の下方にゴム風船(２)を取り付けてある。上蓋(４−１)中央部に貫通し、下フランジ(８)を被せた当該円筒部(７)の上から、バネ体たる外径1.3cm、内径1.1cm、高さ1.7cmのゴム管(９)を貫通させてこれを上フランジ(１０)が挟む形で、外径1cm、内径0.8cm、高さ1.7cmのポリプロピレン製の管(１１)の下方周囲に外径2cmの上フランジ(１０)を設けた管体(１２)であって、当該上フランジ(１０)の下方に、逆止弁(５)を開閉し得る突起(１３)を突出させたポリプロピレン製の管体(１２)が、当該突起(１３)をパイプ(３)の円筒部(７)に挿入した状態で取り付けてある。かかる構造により、当該上フランジ(１０)の上下動が、筒状容器上蓋(４−１)ないし下フランジ(８)と上フランジ(１０)の間に設けられたゴム管(９)により弾性反発力をもって制御できるようになっている。また、管体の当該突起(１３)の先端は、定常状態では逆止弁(５)の上部に位置づけられるが、当該上フランジ(１０)を下方へ押すと、逆止弁(５)を下方へ押し下げて開通を確保するようになっている(図２C)。なお、本例における略円筒形容器(４)の上蓋(４−１)は、その底部(４−２)から取り外すことができるようになっていて、ゴム風船(２)が消耗した場合は、上蓋(４−１)を底部(４−２)から取り外して、ゴム風船(２)を簡単に取り替えることができるようになっている。
【００１６】
本例における携帯用充填式酸素吸入器(１)の使用態様の一例を、図３に示す。
図３の使用態様においては、図１に示す携帯用酸素充填式吸入器(１)の管体(１２)を構成する管体(１２)の先端を、酸素チャージャー(O2テクノロジー社) (１４)−これは、大気中の酸素と窒素をコンプレッサーで取り込み、酸素のみを通過させることができる機器である−の酸素排出口(１５)と連結し、管体(１２)の先端から高圧で酸素を送り込み、逆止弁(５)を開放せしめて(図２A)、ゴム風船(２)内に酸素を導入する。所定量の酸素を導入後、酸素圧を外すと、逆止弁(５)が定位置に戻り、パイプ(３)における開通を封じて(図２B)、ゴム風船(２)内の酸素による背圧と相まって、ゴム風船(２)内に酸素が密封状態で保管される。膨張したゴム風船(２)は、その側面が略円筒形容器(４)の内壁に支えられて、安定な位置を保っている(図１B)。利用者が酸素を利用するに際し、管体(１２)の周囲に設けられた上フランジ(１０)を下方に押すと、管体(１２)の突起(１３)が逆止弁(５)を押し下げてパイプ(３)を開通し(図２C)、ゴム風船(２)内の酸素が、管体(１２)を構成する管(１１)の先端から吹き出す。これを利用者は吸入する。上フランジ(１０)を押す力加減および時間を調節して、管(１１)の先端から吹き出される酸素の風速および量を調節することができる。ゴム風船(２)内の酸素がなくなると、再度吸入器の管体(１２)の先端を酸素チャージャー(１４)の酸素排出口(１５)に連結して、再度酸素をゴム風船(２)に充填することができる。
【００１７】
[実施例２]
本例における携帯用酸素充填式吸入器(１)は、管体(１２)を構成する管(１１)の先端に吸入マスク(１６)を着脱自在に取り付けて使用することができ、利用者は、吹き出された酸素を漏れなく簡便に吸入することができる。図１AおよびBに示す携帯用酸素充填式吸入器(１)と併用する吸入マスク(１６)は、本例における管(１１)の先端を貫通せしめて、管体先端近傍において管体(１２)と密着状態で結合し得るようになっている結合部(１７)と、当該結合部(１７)外周縁から外方へと広がって湾曲形成されるマスク部(１８)とから成るプラスチック製の吸入補助具である。酸素は、管(１１)先端からマスク部(１８)内側へ吹き出されて、マスク部(１８)が覆う利用者の口へと送られる。
【産業上の利用可能性】
【００１８】
本考案における携帯用酸素充填式吸入器は、学校、職場やスポーツクラブ等の運動施設で、特に有効に使用することができる。
【図面の簡単な説明】
【００１９】
【図１】AおよびBはそれぞれ、本考案の携帯用充填式酸素吸入器(一例)の、酸素充填前の状態および酸素充填後の状態を示す図である。
【図２】図２は、図１に示す本考案の携帯用充填式酸素吸入器を構成するパイプ、逆止弁、および管体の位置関係およびその作動状態を説明する断面図である。
【図３】図３は、図１AおよびBに示す本考案の携帯用充填式酸素吸入器の使用態様の一例を示す図である。
【符号の説明】
【００２０】
１  携帯用充填式酸素吸入器
２  ゴム風船
３  パイプ
４  略円筒形容器
４−１  上蓋
４−２  底部
５  逆止弁
６  円筒基台部
７  円筒部
８  下フランジ
９  ゴム管
１０  上フランジ
１１  管
１２  管体
１３  突起
１４  酸素供給源
１５  酸素排出口
１６  吸入マスク
１７  結合部
１８  マスク部
１９  通気孔
【図１】
0003113376.tif 000003
【図２】
0003113376.tif 000004
【図３】
0003113376.tif 000005
【手続補正書】
【提出日】平成17年6月10日(2005.6.10)
【手続補正１】
【補正対象書類名】実用新案登録請求の範囲
【補正対象項目名】全文
【補正方法】変更
【補正の内容】
【実用新案登録請求の範囲】
【請求項１】
ゴム風船(２)に酸素を充填して使用する携帯用充填式酸素吸入器(１)であって、
酸素導入用のパイプ(３)の下方に、前記ゴム風船(２)を取り付け、
前記パイプ(３)の下部を、通気孔(１９)を有する筒状容器(４)の上面中央部に固定して
、前記ゴム風船(２)を前記容器内(４)に収納するものであって、
前記パイプ(３)の下方には逆止弁(５)が取り付けられており、前記パイプ(３)には、弾
性反発力を持って押し下げ可能な状態でフランジ(１０)が設けられていて、
前記パイプ(３)にその上方から高圧で酸素を送り込むと、当該酸素圧により前記逆止弁
(５)が自動的に開いて、前記パイプ(３)を通じて前記ゴム風船(２)内に酸素が充填され、
前記酸素圧を外すと前記逆止弁(５)が自動的に閉じ、前記ゴム風船(２)内に充填された
酸素による背圧により前記逆止弁(５)が前記パイプ(３)を緊密に封じ、
次いで前記フランジ(１０)を押し下げると前記逆止弁(５)が開いて、前記パイプ(３)を
通じて前記ゴム風船(２)内の酸素が吹き出されるようになっていることを特徴とする、携
帯用充填式酸素吸入器(１)。
【請求項２】
管(１１)の下方周囲に前記フランジ(１０)を備え、前記フランジ(１０)の下方に前記逆止弁(５)の開閉が可能な突起(１３)を設けて成る管体(１２)が、前記パイプ(３)の上端に、前記突起(１３)を前記パイプ(３)に挿入した状態で取り付けられており、かつ、前記フランジ(１０)の上下動が、前記筒状容器(４−１)と前記フランジ(１０)の間に設けられたバネ体(９)により制御されている、請求項１記載の携帯用充填式酸素吸入器(１)。
【請求項３】
前記筒状容器(４)の上部が、当該容器の下部から切り離し自在な構成になっていて、前記容器の上部を切り離して、前記容器(４)内に収納されたゴム風船(２)を交換できるようになっていることを特徴とする、請求項１〜２のいずれかに記載の携帯用充填式酸素吸入器(１)。
【請求項４】
ヒトの口を覆う湾曲形状のマスク(１６)の中央部に小孔が設けられて成る吸入マスク(１６)の当該小孔に、前記パイプ(３)の上端部を貫通および着脱自在に結合させて、前記吸入マスク(１６)を前記パイプ(３)の上端部に着脱自在に装着して使用することをさらに特徴とする、請求項１〜３のいずれかに記載の携帯用充填式酸素吸入器(１)。
【請求項５】
前記逆止弁(５)が、シート式逆止弁、ダックビル型逆止弁、ボール型逆止弁から選択されるものである、請求項１〜４のいずれかに記載の携帯用充填式酸素吸入器(１)。